(57)【要約】【課題】床面に水が残りにくく、床面が短時間で乾燥状態となるとともに、清掃性に富んだ防水床パンを提供することを目的としている。【解決手段】表面がわずかな親水性を示すとともに、排水口あるいは排水溝に向かう流れ勾配を有する基準床面を有し、この基準床面が、格子状に設けられた谷部によって、平面視にて半径１０ｍｍの円の一部が必ず前記谷部へ接触する大きさの略矩形をした多数の区画部に区切られていて、この区画部が、区画部の上面に落下した水の誘引効果を有し他の部分から上方に突出する少なくとも１つの突起を有し、前記谷部内に水を捕水した状態で水が前記区画部と谷部に跨った状態で落下したときに、区画部上に落下した水を前記突起に誘引する一方、この突起に誘引された水をさらに谷部内の水の凝集力によって谷部に誘導して排水するようにしたことを特徴としている。【選択図】      図３
2010270520.tif 000002
【特許請求の範囲】
【請求項１】
表面がわずかな親水性を示すとともに、排水口あるいは排水溝に向かう流れ勾配を有する基準床面を有し、
この基準床面が、格子状に設けられた谷部によって、平面視にて半径１０ｍｍの円の一部が必ず前記谷部へ接触する大きさの略矩形をした多数の区画部に区切られていて、
この区画部が、区画部の上面に落下した水の誘引効果を有し他の部分から上方に突出する少なくとも１つの突起を有し、
前記谷部内に水を捕水した状態で水が前記区画部と谷部に跨った状態で落下したときに、区画部上に落下した水を前記突起に誘引する一方、この突起に誘引された水をさらに谷部内の水の凝集力によって谷部に誘導して排水するようにしたことを特徴とする防水床パン。
【請求項２】
谷部と、谷部に隣接して設けられた突起との最短距離が１ｍｍ以下である請求項１に記載の防水床パン。
【請求項３】
突起は、高さが０．０５〜１．０mmで、突起周囲の区画部上面からの突起壁面の立ち上がり角度が９３〜１３５度であるとともに、平面視にて突起を含む半径２mmの円の一部が必ず区画部上面へ接触する大きさである請求項１または請求項２に記載の防水床パン。
【請求項４】
谷部が占める面積が５〜２０％床面全体のである請求項１〜請求項３のいずれかに記載の防水床パン。
【請求項５】
各区画部が谷部との境界から０．０５〜１ｍｍ区画部の内側に入った部分から膨出する突部を有し、この突部の上に突起が形成されている請求項１〜請求項４のいずれかに記載の防水床パン。
【請求項６】
各区画部が、最大高さが０．１〜１．０ｍｍの大きな突起と、最大高さが０．０５〜０．１ｍｍの小さな突起と、を備えている請求項１〜請求項５のいずれかに記載の防水床パン。
【請求項７】
谷部は、基準床面からの深さが０．４〜０．８mm、幅が０．５〜１．０mmで、谷部の側壁面と底面とのなす角度が９３〜１３５度である断面形状に形成されている請求項１〜請求項６のいずれかに記載の防水床パン。
【発明の詳細な説明】
【技術分野】
【０００１】
本発明は、浴室の洗い場やシャワー室の床を形成するのに用いられる防水床パンに関する。
【背景技術】
【０００２】
浴室の洗い場やシャワー室の床は、表面に水が残っていると、滑りやすい、また、清掃などの際に足をぬらしてしまうため、床面に落ちた水ができるだけ迅速に排水されるとともに、乾燥しやすい構造であることが求められている。
そこで、（１）床面に排水口に連通する流れ勾配を有する複数の目地が網目状に配設され、目地で区画された各区画部が多角錘形状あるいは曲面をした凸面形状をしていて、区画部上に落ちた水が周囲の目地に向かって流れるようにした防水床パン（例えば、特許文献１、２参照）や、（２）平面状をした基準床面を細かい目地溝で区切るとともに、目地で区切られた各区画部表面を表面粗さ１．０〜５．０μｍ程度の微細凹凸形状とした防水床パン（例えば、特許文献３参照）が提案されている。
【０００３】
しかしながら、上記（１）及び（２）の防水床パンの場合、以下のような問題がある。
すなわち、上記（１）の防水床パンは、区画部が凸面形状をしていて、凸面の傾斜によって区画部上に落ちた水が周囲の目地に向かって流れるため、床面全体の乾燥を速めることが可能であるが、区画部の面積を大きくすると歩行感が悪化しやすくなる。一方、区画部の面積を大きくしても区画部表面の凸面の各面に傾斜を緩くしたり、凸面の曲率を大きくしたりすると、歩行感が悪化することがないが、勾配が緩すぎて区画部上の水が表面張力によって区画部表面に残ってしまうという問題がある。他方、区画部の面積を小さくすると上記のような問題が解消されるものの目地部分の清掃性に問題が生じる。
上記（２）の防水床パンは、区画部の面積を極小さいものにしなければ区画部の表面に水溜りが発生してしまう。したがって目地部分の清掃性に問題が生じる。
【先行技術文献】
【特許文献】
【０００４】
【特許文献１】特開２００６−１６８４３号公報
【特許文献２】特開２００３−１７６５５８号公報
【特許文献３】特開２００３−１６６２６９号公報
【発明の概要】
【発明が解決しようとする課題】
【０００５】
本発明は、上記事情に鑑みて、床面に水が残りにくく、床面が短時間で乾燥状態となるとともに、清掃性に富んだ防水床パンを提供することを目的としている。
【課題を解決するための手段】
【０００６】
上記目的を達成するために、本発明にかかる防水床パンは、表面がわずかな親水性を示すとともに、排水口あるいは排水溝に向かう流れ勾配を有する基準床面を有し、この基準床面が、格子状に設けられた谷部によって、平面視にて半径１０ｍｍの円の一部が必ず前記谷部へ接触する大きさの略矩形をした多数の区画部に区切られていて、この区画部が、区画部の上面に落下した水の誘引効果を有し他の部分から上方に突出する少なくとも１つの突起を有し、前記谷部内に水を捕水した状態で水が前記区画部と谷部に跨った状態で落下したときに、区画部上に落下した水を前記突起に誘引する一方、この突起に誘引された水をさらに谷部内の水の凝集力によって谷部に誘導して排水するようにしたことを特徴としている。
【０００７】
本発明の防水床パンは、特に限定されないが、品質、耐久性、コストから一般的にＳＭＣ（シートモールドコンパウンド）をプレス成形して得られる繊維強化プラスチック成形品が好適である。
【０００８】
本発明において、わずかな親水性を示すとは、平板状にした場合、この平板表面に水を滴下したときの接触角が６５〜８５度になることを意味する。
なお、上記親水性を付与する方法としては、防水床パンを構成する材料をわずかな親水性を示すものを用いる方法、樹脂中に親水処理剤を添加した状態で成形する方法、成形後に成形品表面に親水性塗料を塗布する方法、成形後に成形品表面を粗面化する方法等が挙げられる。
【０００９】
本発明において、基準床面は、排水口あるいは排水溝に向かう流れ勾配を有するが、具体的には、特に限定されないが、２０／１０００〜４０／１０００程度の勾配とすることが好ましい。
【００１０】
本発明において、１つの区画部は、区画部を囲む谷部のピッチが平面視にて半径１０ｍｍの円の一部が必ず谷部のどこかに接触するピッチの谷部に囲まれた大きさに限定されるが、その理由は、区画部が大きすぎると、区画部上の水が突起に誘引されず、区画部上に残ってしまうためである。なお、清掃性を考慮すると、１つの区画部面積は、少なくとも半径４ｍｍの円内からはみ出る大きさ（または１６０ｍｍ2）以上にすることが好ましい。
【００１１】
本発明において、突起による区画部上に落下した水の誘引効果とは、突起によって生じる水への誘引張力（「固体の材質による表面自由エネルギーと水の表面自由エネルギーによる表面張力によって水を誘引する表面張力」と 「固体形状によって増加する水を誘引する表面張力」を含めたもの）によって水を引きつける効果を意味する。
【００１２】
また、上記突起は、高さが０．０５〜１．０mmで、区画部表面からの突起壁面の立ち上がり角度が９３〜１３５度であるとともに、平面視にて突起を含む半径２mmの円の一部が必ず区画部上面へ接触する大きさであることが好ましい。
【００１３】
すなわち、突起の高さが０．０５mm未満では、十分な誘引効果を発揮できず、高さが１．０mmを超えると、足の裏に違和感を覚えるおそれがある。
区画部表面からの突起壁面の立ち上がり角度が９３度を下回ると、誘引効果がつよすぎて、区画部表面と突起壁面とコーナー部に残ってしまい、１３５度を超えると、誘引効果が不十分となるおそれがある。
また、突起の大きさが大きすぎると、隣接する谷部に対して突起の裏側に誘引された水が突起を回り込んで谷部側に誘導されず、そのまま残ってしまうおそれがある。
【００１４】
また、１つの区画部上に、最大高さが０．１〜１．０ｍｍの大きな突起（以下、「大突起」と記す）と、最大高さが０．０５〜０．１ｍｍの小さな突起（以下、「小突起」と記す）と、を備えるようにしてもよい。
すなわち、大突起はその高さの為、水を引き寄せる力が大きくなるが、投影面積が小さくすると折れるなど成形性を考えると、自然と投影面積の大きい幅広のものとなる。それに対して、小突起は高さが低い為、水を引き寄せる力は小さくなるが、小さい投影面積で作製することができ、その数にて水を引き寄せる力を上げることができる。
よって、これらを組み合わせることでより水の排水を促し、水溜りを発生しにくくすることが出来る。
【００１５】
また、谷部に隣接して設けられる突起の形状及び高さは、以下に述べるようにして求められる隆起誘引断面積Ｓ1が、谷部の断面積Ｓ2より小さくなるように形成することが好ましい。
〔隆起誘引断面積Ｓ1の求め方〕
（１）図１１に示すように、区画部５部分の基準レベル（基準床面のレベル）Ｌ0から突起７の最高点までの高さＨに対して区画部５部分の基準レベルＬ0から９０％の高さ位置を通る水平線Ｌ1と、突起７の壁面との交点を点ａとする。
なお、基準レベルＬ0は区画部５の表面の任意の１０点の平均レベルである。
（２）点ａから垂線Ｌ2を下ろし、この垂線Ｌ2と、区画部５部分の基準レベルＬ0から高さＨの１０％の高さ位置を通る水平線Ｌ3との交点を点ｂとする。
（３）水平線Ｌ3の突起７の壁面と交点を点ｃとする。
（４）水平線Ｌ3上の、点ｂから点ｃを通り、点ｂからの距離が水平線Ｌ1と水平線Ｌ3の距離と同じである位置を点ｄとする。
（５）図１２に示すように、点ａ、点ｃ及び点ｄで囲まれた三角形ａｃｄの面積を隆起誘引断面積Ｓ1とする。
〔谷部の断面積Ｓ2の求め方〕
（１）図１１に示すように、上記基準レベルＬ０から谷部４の底までの深さをＤとし、Ｄの１０％の位置を通る水平線Ｌ4と谷部の一方の側壁との交点を点ｅとし、他方の側壁との交点を点ｆとする。
（２）上記深さＤの９０％の位置を通る水平線Ｌ5と谷部の一方の側壁との交点を点ｇとし、他方の側壁との交点を点ｈとする。
（３）図１３に示すように、点ｅ、点ｆ、点ｈ及び点ｇで囲まれた四角形ｅｆｈｇの面積を断面積Ｓ2とする。
【００１６】
本発明において、谷部に隣接して設けられる突起は、水が途切れるときの水位0.05mmとの関係において、谷部との最短距離ＬxがLX≦4×（Ｓ1）0.25を満足することが好ましく、２ｍｍ以下であることがより好ましい。
すなわち、突起は、谷部との最短距離ＬXが長いと、谷部の水の凝集力によって区画部上の水をうまく谷部側に誘導できず、結果水が途切れて区画部上に残ってしまうおそれがある。
【００１７】
一方、１つの区画部上に複数の突起が設けられる場合、突起と突起との距離ＬYがLY≦32×（Ｓ1）0.27を満足することが好ましい。
すなわち、突起間の距離ＬYが長いと、突起による誘引張力が突起と突起の中間部分まで影響せず、水が中間部分で途切れて区画部上に残ってしまうおそれがある。
【００１８】
本発明において、谷部の断面形状としては、谷部の水の凝集力によって区画部上の水をうまく谷部側に誘導できれば特に限定されないが、基準床面からの深さを０．４〜０．８mm、幅を０．５〜１．０mmで、側壁面と底面とのなす角度を９３〜１３５度とすることが好ましい。
すなわち、谷部の深さが０．４mmより浅いと、谷部に入り込んだ水が途切れてうまく排水口に排水されず、谷部の深さが0．８ｍｍより深いと、谷部内に溜まった汚れが除去し難くなるおそれがある。側壁面と底面とのなす角度が９３度より小さいと成形型から製品を外れ難くなり、外れたときにも不具合が発生し易くなり、角度が１３５度より大きすぎると水溜りを形成し易くなり、結果水が途切れ易くなるおそれがある。谷部の幅が０．５mm未満であれば清掃性が悪くなり、１．０mmを超えると水溜りを形成し易くなり、水が途切れ易くなるおそれがある。
また、谷部の底は、特に限定されないが、基準床面の流れ勾配に平行になっていることが好ましい。
【００１９】
さらに、谷部が占める面積は、床面全体の５〜２０％であることが好ましい。
すなわち、谷部が占める面積が、床面全体の５％未満であると、谷部内の水の凝集力によって区画部上の水を排水できなくなり、２０％を超えると谷部内に溜まる水の量が多くなり、乾燥時間が長くなるおそれがある。
【００２０】
また、各区画部は、谷部との境界から０．０５〜１ｍｍ区画部の内側に入った部分から膨出する突部を有し、この突部の上に突起が形成されていても構わない。
【発明の効果】
【００２１】
本発明にかかる防水床パンは、以上のように、表面がわずかな親水性を示すとともに、排水口あるいは排水溝に向かう流れ勾配を有する基準床面を有し、この基準床面が、格子状に設けられた谷部によって、平面視にて半径１０ｍｍの円の一部が必ず前記谷部へ接触する大きさの略矩形をした多数の区画部に区切られていて、この区画部が、区画部の上面に落下した水の誘引効果を有し他の部分から上方に突出する少なくとも１つの突起を有し、前記谷部内に水を捕水した状態で水が前記区画部と谷部に跨った状態で落下したときに、区画部上に落下した水を前記突起に誘引する一方、この突起に誘引された水をさらに谷部内の水の凝集力によって谷部に誘導して排水するようにした。
【００２２】
したがって、各区画部上に残った水のうち、谷部を跨ぐように水溜り状に残った水については、素早く谷部を介して排水口または排水溝に排水される。すなわち、区画部上に殆ど水が残らず、床面を素早く乾燥することができる。
すなわち、区画部表面では、表面張力によって水がその場で凝集しようとするが、突起によって発生する誘引張力の方が上記表面張力より大きいため、区画部表面の水は、突起の誘引張力によって突起の方へ誘引される。一方、この突起による誘引張力は、谷部内に溜まった水の凝集力より力が小さいので、突起の誘引張力によって突起の周囲に誘引された水がさらに谷部側に誘引され、排水される。
【００２３】
また、谷部が格子状に設けられているので、スポンジ等による清掃時において、２方向に擦ることだけで容易に谷部内を清掃することができる。すなわち、床面を短い清掃時間できれいに清掃することができる。
【図面の簡単な説明】
【００２４】
【図１】本発明にかかる防水床パンの第１の実施の形態の平面図である。
【図２】図１の防水床パンの断面図である。
【図３】図１の防水床パンの床面を拡大してあらわし、同図（ａ）は平面図、同図（ｂ）は同図（ａ）のＩ−Ｉ線断面図、同図（ｃ）は同図（ａ）のII−II線断面図である。
【図４】図１の防止床パンの床面に落ちた水の排水メカニズムを模式的に説明する拡大平面図である。
【図５】図４の状態から排水が進んだ状態を模式的に説明する拡大平面図である。
【図６】図５の状態から排水が進んだ状態を模式的に説明する拡大平面図である。
【図７】本発明にかかる防水床パンの第２の実施の形態の説明する図であって、同図（ａ）は拡大平面図、同図（ｂ）は同図（ａ）のIII−III線断面図、同図（ｃ）は同図（ａ）のIV−IV線断面図である。
【図８】本発明にかかる防水床パンの第３の実施の形態の説明する図であって、同図（ａ）は拡大平面図、同図（ｂ）は同図（ａ）のＶ−Ｖ線断面図、同図（ｃ）は同図（ａ）のVI−VI線断面図である。
【図９】本発明にかかる防水床パンの第４の実施の形態の説明する図であって、同図（ａ）は拡大平面図、同図（ｂ）は同図（ａ）のＶII−ＶII線断面図、同図（ｃ）は同図（ａ）のVIII−VIII線断面図である。
【図１０】比較例１で用いたサンプル板材であって、同図（ａ）は拡大平面図、同図（ｂ）は同図（ａ）のIX−IX線断面図、同図（ｃ）は同図（ａ）のX−X線断面図である。
【図１１】隆起誘引断面積Ｓ1と谷部の断面積Ｓ2の測定方法を説明する説明図である。
【図１２】隆起誘引断面積Ｓ1を説明する説明図である。
【図１３】谷部の断面積Ｓ２を説明する説明図である。
【発明を実施するための形態】
【００２５】
以下に、本発明を、その実施の形態をあらわす図面を参照しつつ詳しく説明する。
図1〜図３は、本発明にかかる防水床パンの第１の実施の形態をあらわしている。
【００２６】
図１及び図２に示すように、この防水床パン１ａは、平板を成形したとき、その平面の水の接触角が６５〜８５度であるわずかな親水性を示すＳＭＣを熱プレス成形して得られ、床面２が平面視長方形をしていて、長方形の一方の長辺の中央部に設けられた排水口１１に向かって２０／１０００〜４０／１０００の流れ勾配に形成された３つの基準床面３を備えている。
そして、各基準床面３は、図１及び図３に示すように、排水口１１が設けられた長辺に直交する方向に等間隔であるいは長辺に平行方向に等間隔で格子状に設けられた谷部４によって、区切られた多数の略長方形をした区画部５に分かれている。
【００２７】
各区画部５は、長辺の長さが、５〜５０ｍｍ、短辺の長さが５〜２０ｍｍをしていて、その長辺側が防水床パン１ａの排水口１１が設けられた長辺に平行になっている。すなわち、各区画部５は、半径１０ｍｍの円が必ず谷部４にかかる大きさになっている。また、各区画部５は、長辺と短辺とのコーナー部が０．５Ｒのアール形状となっている。
各区画部５は、周囲から１ｍｍ内側に入った位置で基準床面３から段状に膨出するテーブル上の突部６ａを備えている。
突部６ａは、高さが０．１〜１．０ｍｍで、基準床面３からの立ち上がり角度が９３〜１３５度になっている。
また、この突部６ａの表面には、四隅近傍及び長辺側に沿って等間隔に、合計１０個の突起７ａが突設されている。
【００２８】
各突起７ａは、四角錘台形状をしていて、その側壁面と突部６ａの上面とがなす角度が９３〜１３５度となっている。
また、突起７ａの下端の一辺の長さは、０．３〜１０ｍｍとなっている。すなわち、半径５ｍｍの円内に収まる大きさをしている。
【００２９】
突起７ａの高さＨは、０．１〜１．０ｍｍとなっている。
また、突起７ａと谷部４との最短距離ＬXは、２ｍｍ以下となっている。
突起７ａと突起７ａとの間の距離ＬYは、０．２〜２ｍｍとなっている。
【００３０】
谷部４は、断面台形をしていて、区画部５の上面を含む基準レベルＬ0からの深さＤが０．４〜０．８ｍｍ、底とその側面とのなす角度が９３〜１３５度になっている。
また、谷部４の底は、基準床面３の流れ勾配と平行になっている。
【００３１】
この防水床パン１ａは、上記のようになっており、床面３に落ちた水は、流量が多い場合には、床面の流れ勾配に沿って排水口１１までスムーズに流れる。特に、突部６ａを備え、水の多い場合は、谷部の上側に隣接する突部６ａとの間に幅広の流路が形成されよりスムーズに排水される。
そして、流量が少なくなってくると、図４に示すように、床面の一部に水溜りＷ状に残るが、突起７ａと突起７ａとの間の突部６ａ上で表面張力によってその場で凝集しようとする力（細線の矢印で示す）が働く。一方、突起７ａ近傍では、突起７ａによる誘引張力（点線の矢印で示す）が水溜りＷの水に誘引張力が働く。そして、突起７ａによる誘引張力（点線の矢印で示す）が、突部６ａ上で表面張力によってその場で凝集しようとする力（細線の矢印で示す）より大きいので、突起７ａと突起７ａとの間の突部６ａ上にある水は、近傍の突起７ａに引き付けられる。
【００３２】
他方、谷部４上および谷部４の近傍の水には、谷部４内の水による凝集力（太線の矢印で示す）が働く。そして、谷部４内の水による凝集力（太線の矢印で示す）が突起７ａによる誘引張力（点線の矢印で示す）より大きいので、突起７ａ近傍に誘引された水は、谷部４側に引っ張られる。
すなわち、図４〜図６に示すように、水溜りＷが徐々に縮小し、区画部５上には水溜りが殆どない状態になる。したがって、床面が短時間で乾燥状態となる。
【００３３】
また、谷部４が格子状に設けられているので、スポンジ等による清掃時において、２方向に擦ることだけで容易に谷部４内を清掃することができる。したがって、床面を短い清掃時間できれいに清掃することができる。
【００３４】
図７は、本発明にかかる防水床パンの第２の実施の形態をあらわしている。
図７に示すように、この防水床パン１ｂは、突部６ａが設けられておらず、上記防水床パン１ａの突起７ａと同じ大きさ、同じ形状の８つの大突起７ｂが直接区画部５上の基準床面３上に突起７ａと同じパターンで設けられているとともに、大突起７ｂと相似形で、１／１０スケールの多数の小突起７ｃが区画部５の基準床面３上に０．１〜０．２ｍｍのピッチで突設されている以外は、上記防水床パン１ａと同様になっている。
【００３５】
この防水床パン１ｂは、以上のように、上記防水床パン１ａの突起７ａと同じ大突起７ｂを設ける以外に、水を引き寄せる力は小さくなるが、小さい投影面積で作製することができる小突起７ｃを多数設けたので、区画部５上の水をよりスムーズに谷部４側に誘引することができる。
【００３６】
図８は、本発明にかかる防水床パンの第３の実施の形態をあらわしている。
図８に示すように、この防水床パン１ｃは、突部６ａが設けられておらず、各区画部５が４つの突起７ｄを備え、突起７ｄが区画部５の長方形の短辺に沿って長い略四角錘台形状をしている以外は、上記防水床パン１ａと同様になっている。
この防水床パン１ｃは、突起７ｄが長い略四角錘台形状をしているので、上記防水床パン１ａ，１ｂに比べ、浴室椅子の使用感が良いという利点を備えている。
【００３７】
図９は、本発明にかかる防水床パンの第４の実施の形態をあらわしている。
図９に示すように、この防水床パン１ｄは、突部６ｂが、区画部５の周囲から内側に向かって１．５ｍｍ入った位置で基準床面３から段状に膨出しているとともに、この突部６ｂの上に平面視略小判形をした高さ０．３ｍｍの４つの突起７ｅを等間隔で設けられている以外は、上記防水床パン１ａと同様になっている。この防水床パン１ｄは、突部に圧力が集中するため、滑り難くなる。
【００３８】
以下に、本発明の具体的な実施例を説明する。
【００３９】
（実施例１）
図３に示す防水床パンの床面構造をした各部の寸法が以下のとおりであるサンプル板材（接触角：８０度）を、ＳＭＣを用いて熱プレス成形した。
〔区画部５〕
長手方向の寸法：２４ｍｍ
短手方向の寸法：９ｍｍ
〔突部６ａ〕
長手方向の寸法：２１ｍｍ
短手方向の寸法：６ｍｍ
高さ：０．３ｍｍ
基準床面からの立ち上がり角度：１２０度
〔突起７ａ〕
下端の一辺の長さ：１．５ｍｍ
高さ：0.3ｍｍ
側壁と区画部５とのなす角度：１２０度
谷部４との最短距離：１．５ｍｍ
突起７ａと突起７ａとの距離：３ｍｍ
〔谷部４〕
谷部４の底の幅：１ｍｍ
谷部４の深さ：０．５ｍｍ
谷部４の側面と区画部５とのなす角度：１１０度
【００４０】
（実施例２）
各部の寸法が以下のとおりである。
図３に示す防水床パンの床面構造をしたサンプル板材（接触角：８０度）を、ＳＭＣを用いて熱プレス成形した。
〔区画部５〕
長手方向の寸法：24ｍｍ
短手方向の寸法：9ｍｍ
〔突起７ａ〕
下端の一辺の長さ：2ｍｍ
高さ：0.3ｍｍ
側壁と区画部５とのなす角度：１２０度
谷部４との最短距離：２ｍｍ
突起７ａと突起７ａとの距離：３ｍｍ
〔谷部４〕
谷部４の底の幅：１ｍｍ
谷部４の深さ：０．５ｍｍ
谷部４の側面と区画部５とのなす角度：１１０度
【００４１】
（比較例１）
図１０に示すように、突起７ａを設けていない以外は、実施例１と同様のサンプル板材（接触角：８０度）Ｓを、ＳＭＣを用いて熱プレス成形した。
【００４２】
（比較例２）
図３に示す防水床パンの床面構造をした各部の寸法が以下のとおりであるサンプル板材（接触角：８０度）を、ＳＭＣを用いて熱プレス成形した。
〔区画部５〕（１０ｍｍの円が谷部に接触しない大きさ）
長手方向の寸法：２５ｍｍ
短手方向の寸法：２５ｍｍ
〔突起７ａ〕
下端の一辺の長さ：２２ｍｍ
高さ：０．３ｍｍ
側壁と区画部５とのなす角度：120度
谷部４との最短距離：１．５ｍｍ
突起７ａと突起７ａとの距離：３ｍｍ
〔谷部４〕
谷部４の底の幅：１ｍｍ
谷部４の深さ：０．５ｍｍ
谷部４の側面と区画部５とのなす角度：１２０度
【００４３】
上記実施例１，２及び比較例１，２で得られたサンプル板材（縦１００ｍｍ×１００ｍｍ）を、区画部５の一方の短辺に平行な方向に２０／１０００の勾配にそれぞれ傾斜させた状態で、スポイトで１０ｍｌの水道水をサンプル板材の表面に滴下したのち、区画５上に目視で水滴がなくなるまでの時間を測定し、その結果を以下の表１に示した。
【００４４】
【表１】
2010270520.tif 000003
【００４５】
上記表１から本発明の防水床パンによれば、水膜状態での流れと共に区画から流れ落ち、僅かに残ったときでも短時間で床面が乾くことがよくわかる。
なお、比較例１，２のサンプル板の場合、区画周縁部の水は、谷部側の水の凝集力によって略実施例１，２の同じ時間内に谷部に流れ込んだが、比較例１のサンプル板の場合、図１０に示すように、区画中央部にある水ｗは引きちぎれて残ったままであった。また、比較例２のサンプル板の場合、比較例１よりは小さいもののやはり区画中央部に水ｗが残っていた。
【符号の説明】
【００４６】
１ａ，１ｂ，１ｃ，１ｄ  防水床パン
１１  排水口
３  基準床面
４  谷部
５  区画部
６ａ，６ｂ  突部
７，７ａ，７ｄ，７ｅ  突起
７ｂ  大突起
７ｃ  小突起
Ｗ  水溜り
【図１】
2010270520.tif 000004
【図２】
2010270520.tif 000005
【図３】
2010270520.tif 000006
【図４】
2010270520.tif 000007
【図５】
2010270520.tif 000008
【図６】
2010270520.tif 000009
【図７】
2010270520.tif 000010
【図８】
2010270520.tif 000011
【図９】
2010270520.tif 000012
【図１０】
2010270520.tif 000013
【図１１】
2010270520.tif 000014
【図１２】
2010270520.tif 000015
【図１３】
2010270520.tif 000016